(57)【要約】【課題】  複数の機能を有する機器を簡単に操作できるようにする。【解決手段】  表示画面２１１を有するテレビ受像器２１を操作するリモコン３０において、位置検出部３２を設けて、指装着型デバイス１０による位置入力操作を可能とする。ユーザの指に装着される指装着型デバイス１０は、少なくとも１つのコイルを有する電磁誘導回路を備え、位置検出部３２は、上記電磁誘導回路との間における電磁的結合に基づき、指装着型デバイス１０の位置を検出し、検出した位置を示す信号をテレビ受像器２１に送信する。【選択図】      図１
2006309500.tif 000002
【特許請求の範囲】
【請求項１】
少なくとも１つのコイルを有する電磁誘導回路を収容する回路収容部と、
前記回路収容部を支持するとともに、ユーザの指の先端が露出した状態を保ちつつ、前記指の側面に当接して保持される形状を有する支持部と、
を備えることを特徴とする位置指示器。
【請求項２】
前記支持部は、前記指が挿入される環状に形成されたことを特徴とする請求項１記載の位置指示器。
【請求項３】
前記支持部は、前記回路収容部より延びる２本の腕により前記指を挟み込む構成を有し、前記２本の腕は、前記回路収容部に対して、その間隔を拡大及び縮小する方向に動作可能に取り付けられたことを特徴とする請求項１または２記載の位置指示器。
【請求項４】
柔軟性を有するベルトの端部に、外部の機器に連結可能な連結部を固定したストラップ形状を有し、
前記ベルトに、少なくとも１つのコイルを有する電磁誘導回路を収容する回路収容部を配設し、
前記回路収容部の両側の前記ベルトを束ねて輪を形成させる留め部材を、前記ベルトの長さ方向に沿って移動可能に配設したこと、
を特徴とする位置指示器。
【請求項５】
前記回路収容部は、前記回路収容部に加わる押圧力に応じて前記コイルのインダクタンスを変化させる可変インダクタンス構造を有することを特徴とする請求項１から４のいずれかに記載の位置指示器。
【請求項６】
前記回路収容部は、その表面から突出する突起を有し、
前記可変インダクタンス構造は、前記突起に加わる押圧力に応じて前記コイルのインダクタンスを変化させるものであることを特徴とする請求項５記載の位置指示器。
【請求項７】
表示画面を有する電子機器を遠隔操作するためのリモコン装置において、
少なくとも１つのコイルを有する電磁誘導回路を備えた位置指示器との間に電磁的結合を形成することにより、前記位置指示器の位置を検出する検出部を備え、
前記検出部により検出される前記位置指示器の位置と、前記表示画面上の位置とが対応づけられたこと、
を特徴とするリモコン装置。
【発明の詳細な説明】
【技術分野】
【０００１】
本発明は、位置指示器、及び、この位置指示器を用いて操作可能なリモコン装置に関する。
【背景技術】
【０００２】
従来、多くの家庭用電気製品において、遠隔操作装置（いわゆるリモコン）が利用されている（例えば、特許文献１参照。）。従来のリモコン装置の多くは、操作対象の機器が備える機能に対応して、複数のキーを備えている。
【特許文献１】特開平０５−０５６４８４号公報（図２）
【発明の開示】
【発明が解決しようとする課題】
【０００３】
近年、ＤＶＤレコーダー等の家庭用電気製品において多機能化が進んでおり、リモコンに搭載されるキーの数が著しく増え、操作が極めて煩雑になっている。この問題を解消するため、家庭用電気製品の中には、階層構造のメニューを利用して簡単に操作できるようにしたものがある。しかしながら、メニューの選択操作をリモコンに搭載されたキーで行わなければならず、操作性のさらなる向上が求められていた。
【０００４】
本発明は、上述した事情に鑑みてなされたものであり、複数の機能を有する機器を簡単に操作できるようにすることを目的としている。
【課題を解決するための手段】
【０００５】
上記課題を解決するため、本発明は、少なくとも１つのコイルを有する電磁誘導回路を収容する回路収容部と、前記回路収容部を支持するとともに、ユーザの指の先端が露出した状態を保ちつつ、前記指の側面に当接して保持される形状を有する支持部とを備えることを特徴とする。
【０００６】
本発明において、前記支持部は、前記指が挿入される環状に形成されたものとしてもよい。
【０００７】
また、本発明において、前記支持部は、前記回路収容部より延びる２本の腕により前記指を挟み込む構成を有し、前記２本の腕は、前記回路収容部に対して、その間隔を拡大及び縮小する方向に動作可能に取り付けられたものとしてもよい。
【０００８】
本発明は、柔軟性を有するベルトの端部に、外部の機器に連結可能な連結部を固定したストラップ形状を有し、前記ベルトに、少なくとも１つのコイルを有する電磁誘導回路を収容する回路収容部を配設し、前記回路収容部の両側の前記ベルトを束ねて輪を形成させる留め部材を、前記ベルトの長さ方向に沿って移動可能に配設したことを特徴とする。
【０００９】
上記発明において、前記回路収容部は、前記回路収容部に加わる押圧力に応じて前記コイルのインダクタンスを変化させる可変インダクタンス構造を有するものとしてもよい。
【００１０】
また、前記回路収容部は、その表面から突出する突起を有し、前記可変インダクタンス構造は、前記突起に加わる押圧力に応じて前記コイルのインダクタンスを変化させるものとしてもよい。
【００１１】
本発明のリモコン装置は、表示画面を有する電子機器を遠隔操作するためのリモコン装置において、少なくとも１つのコイルを有する電磁誘導回路を備えた位置指示器との間に電磁的結合を形成することにより、前記位置指示器の位置を検出する検出部を備え、前記検出部により検出される前記位置指示器の位置と、前記表示画面上の位置とが対応づけられたことを特徴とする。
【発明の効果】
【００１２】
本発明によれば、ユーザの指に位置指示器を装着して位置入力操作を行うことができるので、例えば家庭用電気製品等のメニュー操作を行う際に、位置入力によって簡単かつ素早く操作を行うことができる。また、位置指示器をユーザの指に装着しても、指の先端が露出するので、位置入力操作以外の操作（キー操作等）を行う際に位置指示器が邪魔にならず、違和感のない快適な操作感を提供できるという利点がある。
【発明を実施するための最良の形態】
【００１３】
［第１の実施の形態］
図１は、本発明を適用した第１の実施の形態に係る指装着型デバイス１０、テレビ受像器２１及びリモコン３０の概略構成を示す図である。
【００１４】
図１に示すテレビ受像器２１は、リモコン３０によって遠隔操作される。リモコン３０は、その表面（操作面）に、複数のキーからなるキー操作部３１と、指装着型デバイス１０の位置を検出する検出部としての位置検出部３２とを備え、キー操作部３１及び位置検出部３２における入力操作に従って操作信号を生成し、テレビ受像器２１に対して無線送信する。
【００１５】
指装着型デバイス１０は、図中符号Ａで示すユーザの指（図１に示す例では、親指）に装着され、位置指示器として機能する。すなわち、ユーザが位置検出部３２の上で指装着型デバイス１０を移動させることにより、位置入力操作が行われる。この位置入力操作により、例えば、テレビ受像器２１が有する表示画面２１１にメニュー画面が表示された状態で、ポインタ２１１Ａの位置を入力指示できる。
【００１６】
テレビ受像器２１は、表示画面２１１上にメニュー画面等が表示された状態において、ＧＵＩ（Graphical User Interface）入力環境を備える。具体的には、表示画面２１１に、複数のメニュー項目（図示略）、或いは各メニュー項目に対応するアイコン（図示略）が表示され、これらメニュー項目またはアイコン上にポインタ２１１Ａを移動させて指定操作を行うと、当該メニュー項目またはアイコンが選択指定され、そのメニュー項目またはアイコンに対応する動作が実行される。
【００１７】
このＧＵＩによる操作においては、キー操作部３１が備えるキーの操作に応じてポインタ２１１Ａを移動させることが可能であるが、さらに、位置検出部３２における指装着型デバイス１０の位置を変化させることで、ポインタ２１１Ａを移動させることができる。
【００１８】
すなわち、位置検出部３２における位置座標が、表示画面２１１上における位置座標に対応づけられており、位置検出部３２上に指装着型デバイス１０を位置させると、その指装着型デバイス１０の位置に対応する位置に、ポインタ２１１Ａが移動される。
【００１９】
従って、表示画面２１１上でポインタ２１１Ａを移動させる操作を行う場合、ユーザは、指装着型デバイス１０を装着した指を位置検出部３２の上で移動させるだけでよく、この操作は、リモコン３０を持った片手のみで行うことができる。
【００２０】
さらに、ポインタ２１１Ａをメニュー項目やアイコンの位置に移動させた後、当該メニュー項目やアイコンを選択指定する操作は、後述するように、指装着型デバイス１０に加わる押圧力を検出することにより実行できる。従って、ユーザは、指装着型デバイス１０を装着した指を位置検出部３２上で任意の位置に移動させ、指装着型デバイス１０を位置検出部３２に押し付ける動作を行えば、テレビ受像器２１におけるＧＵＩ操作を行うことができる。
【００２１】
図２は、指装着型デバイス１０の構成を示す外観斜視図であり、（ａ）は上方から見た図であり、（ｂ）は下方から見た図である。また、図３は指装着型デバイス１０における回路収容部１１の構成を示す外観図であり、（ａ）は側面図であり、（ｂ）は斜視図である。
【００２２】
図２（ａ）及び（ｂ）に示すように、指装着型デバイス１０は、略平板状に形成された回路収容部１１と、回路収容部１１から突出して輪をなすように湾曲する支持部としての２本の腕部１２とによって構成される。腕部１２は金属または合成樹脂等の弾性を有する材料からなり、力を加えることで、２本の腕部１２の間隔を拡げることが可能である。
【００２３】
また、図２（ａ）、（ｂ）及び図３（ａ）、（ｂ）に示すように、回路収容部１１の先端面（腕部１２が突出していない側の面）からは、後述する芯１０１が突出する。
【００２４】
図４は、回路収容部１１の内部構成を示す断面視図である。図４に示すように、回路収容部１１には、芯１０１が回路収容部１１の内外に挿通して配設され、芯１０１の基端部にはフェライトコア１０２が配設される。このフェライトコア１０２には、弾性体１０３を介して、略円柱形状のフェライトコア１０４の先端面が対向する。
【００２５】
弾性体１０３は、ゴム（合成ゴムを含む）または合成樹脂からなり、押圧時に弾性変形するに十分な弾性及び可撓性を有する。
【００２６】
また、フェライトコア１０４の側面には、例えばリッツ線等の導線が巻き回されてコイル１０５が形成される。
【００２７】
フェライトコア１０４の基端部には基板１０６が固定され、この基板１０６にはコンデンサ１０７が実装される。コンデンサ１０７にはコイル１０５が電気的に接続されており、このコンデンサ１０７と、コイル１０５とによって、図７を参照して後述する共振回路（電磁誘導回路）１１０が形成される。
【００２８】
従って、指装着型デバイス１０における共振回路１１０と、外部の装置（例えば、リモコン３０）とを電磁的に結合させることにより、指装着型デバイス１０の位置を検出することが可能となる。この指装着型デバイス１０の位置検出については、図７を参照して後述する。
【００２９】
そして、フェライトコア１０４は、基板１０６を介して回路収容部１１の内壁に支持固定されている。
【００３０】
フェライトコア１０２とフェライトコア１０４とは、弾性体１０３を挟んで対向しているので、芯１０１を回路収容部１１の内部に押し込む方向に押圧力が加わった場合、弾性体１０３が弾性変形することにより、フェライトコア１０２がフェライトコア１０４に接近する。これにより、フェライトコア１０４に巻き回されたコイル１０５のインダクタンスが変化し、共振回路１１０の共振周波数が変化する。
【００３１】
このインダクタンスの変化は、フェライトコア１０２とフェライトコア１０４との間の距離に影響される。フェライトコア１０２は、フェライトコア１０４に対向する面に突起を有し、この突起は弾性体１０３に一部嵌入している。このため、押圧力が加わらない状態において、フェライトコア１０２とフェライトコア１０４との間の距離は、弾性体１０３のサイズよりも小さく、ここで押圧力が加わると、フェライトコア１０２はさらにフェライトコア１０４に接近する。このため、芯１０１に押圧力が加わると、コイル１０５のインダクタンスが顕著に変化し、上記共振回路１１０の共振周波数が大きく変化する。
【００３２】
従って、指装着型デバイス１０における共振回路１１０の共振周波数の変化を検出できる装置（例えば、リモコン３０）を組み合わせることにより、指装着型デバイス１０において芯１０１に加わった力の大きさを検出することができる。この指装着型デバイス１０による押圧操作の検出については、図７を参照して後述する。
【００３３】
上記芯１０１、フェライトコア１０２、弾性体１０３、及びフェライトコア１０４により、コイル１０５のインダクタンスを変化させる可変インダクタンス機構が構成される。
【００３４】
図５（ａ）〜（ｃ）は、指装着型デバイス１０の使用状態の例を示す図である。指装着型デバイス１０は、２本の腕部１２により構成される輪の中に指を通すことで装着することができる。また、腕部１２に力を加えることで、２本の腕部１２の間隔を拡げることも可能である。
【００３５】
このため、指装着型デバイス１０は、図５（ａ）に示すように親指に装着することも、同図（ｂ）に示すように人差し指に装着することも可能であり、様々な太さの指に装着できる。
【００３６】
なお、指装着型デバイス１０は、上述したように芯１０１に押圧力が加わることで、内蔵するコイル１０５のインダクタンスが変化する構成を有する。この構成を利用した機能を利用する場合、回路収容部１１から突出する芯１０１を、位置検出部３２（図１）に押し付ける必要があるので、指装着型デバイス１０を指に装着する場合には、図５（ａ）及び（ｂ）に示すように、回路収容部１１を下に向けて、芯１０１を下方に突出させるとよい。
【００３７】
また、指装着型デバイス１０を使用しない状態においては、指装着型デバイス１０を専用の箱等に収納してもよいが、例えば、図５（ｃ）に示すように、指の付け根付近まで移動させておいてもよい。この指装着型デバイス１０の位置は、通常、アクセサリーとしての指輪が装着された位置である。すなわち、指装着型デバイス１０を、位置指示器として使用するだけでなく、あたかも装飾品のように指に着けておいてもよい。この場合、位置入力操作を行わない時には装飾用の指輪として利用できる上に、必要な時にすぐに指装着型デバイス１０を指先まで移動させて使えるので、非常に利便性が高い。
【００３８】
なお、図２〜図５に示す指装着型デバイス１０において、回路収容部１１は略平板形状のものとしたが、よりデザインを重視して、回路収容部１１や腕部１２の表面に装飾を施したり、装飾性の高い材料を用いたりしてもよい。この場合、指装着型デバイス１０を指に装着した際の美観上の違和感が無くなるだけでなく、装飾としても利用できるという利点がある。さらに、回路収容部１１から延びる２本の腕部１２に代えて、一つの閉じたリングを用いることも可能である。
【００３９】
図６は、テレビ受像器２１及びリモコン３０の機能的構成を示すブロック図である。
【００４０】
図６に示すように、テレビ受像器２１は、上記した表示画面２１１の他、表示画面２１１に表示する映像の制御等を実行する制御部２１２、制御部２１２により実行される各種プログラム及びデータを格納したＲＯＭ２１３、リモコン３０から送信される赤外線信号を受光して復号し、リモコン３０における操作を示す操作信号を生成する受光部２１４、制御部２１２の制御に従って表示画面２１１に映像信号を出力する映像信号生成部２１５、及び、外部接続されたアンテナから入力される放送信号に基づいて映像信号を生成するチューナー部２１６を備える。
【００４１】
制御部２１２は、ＲＯＭ２１３に格納されたプログラム及びデータを読み出して実行し、受光部２１４から入力される操作信号に基づいて、映像信号生成部２１５を制御し、所定の映像を表示画面２１１に表示させる。制御部２１２は、例えば、受光部２１４から入力される操作信号がチャンネルの切り替えを指示する信号であった場合、映像信号生成部２１５を制御して、指定されたチャンネルの放送信号から映像信号を生成させ、表示画面２１１に出力させる。また、制御部２１２は、受光部２１４から入力される操作信号がメニュー画面の表示を指示する信号であった場合、映像信号生成部２１５に対してメニュー画面を表示するための表示情報を出力し、表示画面２１１に、メニュー項目（図示略）或いはアイコン（図示略）を含むメニュー画面を表示させる。そして、表示画面２１１にメニュー画面が表示された状態で、リモコン３０からメニュー画面に対する操作（メニュー画面中の項目の選択等）が行われた場合、制御部２１２は、この操作に対応して新たなメニュー画面を表示させ、或いは、特定のチャンネルの映像を表示させる等の動作を実行する。
【００４２】
一方、リモコン３０は、テレビ受像器２１に対して送信すべき操作信号を生成する制御部３３、制御部３３により生成された操作信号を符号化し、赤外線信号を送信する発光部３４、キー操作部３１が操作された場合に操作されたキーを示す操作信号を出力するキー操作検出部３５、及び、位置検出部３２における指装着型デバイス１０の位置及び操作を検出して操作信号を生成する位置検出回路３６を備える。
【００４３】
ここで、位置検出回路３６の構成および動作について詳細に説明する。
【００４４】
図７は、位置検出回路３６の構成を詳細に示す回路図である。なお、理解の便宜を図るため、図７には、位置検出回路３６とともに位置検出部３２（図１）の構成を合わせて図示する。
【００４５】
位置検出部３２には、その横方向及び縦方向に相当する向きのＸ軸及びＹ軸からなるＸ−Ｙ直交座標系が仮想的に設定され、このＸ−Ｙ直交座標系に対応してループコイル群３３２１、３２２が配設される。
【００４６】
ループコイル群３２１は、Ｘ軸方向に並ぶ複数（例えば、４８本）のループコイル３２１-i（ｉ＝１、２、…、４８）から構成される。ループコイル３２１-iは、上記Ｙ軸に沿って延びる１ターンのループコイルであり、各ループコイル３２１-iは、互いに平行で、かつ、重なり合う如く並べて配置されたものである。また、ループコイル群３２２は、Ｙ軸方向に並ぶ複数（例えば、４８本）のループコイル３２２-i（ｉ＝１、２、…、４８）から構成され、上記Ｙ軸方向に沿って延びる１ターンのループコイルであり、各ループコイル３２２-iは、互いに平行で、かつ、重なり合う如く並べて配置されたものである。
【００４７】
これらループコイル群３２１、３２２は、位置検出部３２の１または複数層のプリントパターンにより実現される。なお、各ループコイル３２１-i、３２２-iは１ターンで構成されるものに限らず、必要に応じて複数ターンをなす構成としてもよい。
【００４８】
ループコイル群３２１、３２２は、位置検出部３２のほぼ全面にわたって敷設され、位置検出部３２における指装着型デバイス１０の位置及び指装着型デバイス１０による押圧操作を検出できるようになっている。
【００４９】
位置検出回路３６は、制御回路３６１、信号発生回路３６２、選択回路３６３、選択回路３６４、送受切替回路３６５、３６６、ＸＹ切替回路３６７、受信タイミング切替回路３６８、帯域フィルタ（ＢＰＦ：Band Pass Filter）３６９、検波器３７０、低域フィルタ（ＬＰＦ：Low Pass Filter）３７１、位相検波器（ＰＳＤ：Phase Shift Detector）３７２、３７３、低域フィルタ（ＬＰＦ）３７４、３７５、駆動回路３７６、３７７、増幅器３７８、３７９を備える。
【００５０】
位置検出回路３６は、指装着型デバイス１０の検出を行うため、送信動作と受信動作とを所定の周期で繰り返し実行する。送信動作においては、位置検出部３２が有するループコイル群３２１、３２２から指装着型デバイス１０の共振回路１１０に対して電波が送信され、この電波により共振回路１１０に誘導電流が発生する。共振回路１１０においては、誘導電流に基づいてコイル１０５から電波が発せられる。この電波は、受信動作においてループコイル群３２１、３２２により受信され、この電波に基づいて指装着型デバイス１０の位置および芯１０１に対する押圧操作の有無や芯１０１に加わる押圧力（筆圧）が検出される。
【００５１】
制御回路３６１は、信号発生回路３６２を制御するとともに、選択回路３６３、３６４によるループコイル群３２１、３２２の各ループコイルの切り替えを制御する。また、制御回路３６１は、ＸＹ切替回路３６７および受信タイミング切替回路３６８を制御して、座標検出方向（Ｘ方向、Ｙ方向）の切り替えを行わせる。さらに制御回路３６１は、低域フィルタ３７４、３７５からの出力値をアナログ−ディジタル（Ａ／Ｄ）変換し、所定の演算処理を実行して指装着型デバイス１０により指示された位置の座標値を求めるとともに、受信信号の位相を検出して、これらを出力する。
【００５２】
選択回路３６３は、制御回路３６１の制御に従ってＸ方向のループコイル群３２１から一のループコイル３２１-iを選択する。また、選択回路３６３は制御回路３６１の制御に従ってＹ方向のループコイル群３２２より一のループコイル３２２-iを選択する。
【００５３】
送受切替回路３６５は、信号発生回路３６２から入力される送受切替信号Ｃに従って選択回路３６３により選択されたループコイル３２１-iを駆動回路３７６並びに増幅器２２８に交互に接続し、送受切替回路３６６は、送受切替信号Ｃに従って選択回路３６３により選択されたループコイル３２２-iを駆動回路３７７並びに増幅器２２９に交互に接続する。
【００５４】
信号発生回路３６２は、所定の周波数ｆ０の矩形波信号Ａ、該矩形波信号Ａの位相を９０度遅らせた信号Ｂ、所定の周波数ｆｋの送受切替信号Ｃ、および、受信タイミング信号Ｄを生成して出力する。信号発生回路３６２から出力された矩形波信号Ａは、位相検波器３７２に送出される一方、低域フィルタ（図示略）により正弦波信号Ｅに変換され、さらにＸＹ切替回路３６７を介して駆動回路３７６、３７７のいずれか一方へ送出される。また、信号発生回路３６２から出力される矩形波信号Ｂは位相検波器２２３へ送出され、送受切替信号Ｃは送受切替回路３６５、３６６に送出され、さらに、受信タイミング信号Ｄは受信タイミング切替回路３６８に送出される。
【００５５】
制御回路３６１からＸ方向を選択する情報が出力され、ＸＹ切替回路３６７および受信タイミング切替回路３６８に入力されている状態では、信号発生回路３６２から出力される正弦波信号Ｅは駆動回路３７６に送出されて平衡信号に変換され、さらに送受切替回路３６５に送出される。ここで、送受切替回路３６５は、送受切替信号Ｃに基づいて駆動回路３７６または増幅器２２８のいずれか一方を切り替えて接続するので、送受切替回路３６５から選択回路３６３に出力される信号は、時間Ｔ（＝１／２ｆｋ）毎に出力／停止が繰り返される信号Ｆとなる。そして、送受切替回路３６５から出力される信号Ｆは、選択回路３６３を介して、ループコイル群３２１から選択されたループコイル３２１-iに送出され、このループコイル３２１-iにおいては信号Ｆに基づく電波が発生する。
【００５６】
信号Ｆが出力されている間、位置検出回路３６は上記送信動作を実行し、信号Ｆが出力されていない間は上記受信動作を実行する。この送信動作と受信動作とは上記時間Ｔ毎に交互に繰り返される。
【００５７】
位置検出部３２（図１）において、指装着型デバイス１０が使用状態に保持されると、ループコイル３２１-iから発生した電波によって指装着型デバイス１０のコイル１０５が励振され、共振回路１１０において、信号Ｆに同期した誘導電圧Ｇが発生する。
【００５８】
その後、位置検出回路３６は送受切替回路３６５の動作により受信動作に移行する。ここでループコイル３２１-iが増幅器２２８側に切り替えられると、ループコイル３２１-iからの電波が直ちに消滅する一方、指装着型デバイス１０の共振回路１１０に生じた誘導電圧Ｇは、共振回路１１０内の損失に応じて徐々に減衰する。そして、この誘導電圧Ｇに基づいて共振回路１１０を流れる電流により、コイル１０５から電波が発信される。コイル１０５から発信された電波によって、増幅器２２８に接続されたループコイル３２１-iが励振され、このループコイル３２１-iにコイル１０５からの電波による誘導電圧が発生する。この誘導電圧は、受信動作中の間のみ送受切替回路３６５から増幅器２２８に送出され、増幅されて受信信号Ｈとなって受信タイミング切替回路３６８に送出される。
【００５９】
受信タイミング切替回路３６８には、Ｘ方向またはＹ方向のうちいずれかを指定する情報と、実質的に送受切替信号Ｃの反転信号である受信タイミング信号Ｄとが入力される。受信タイミング切替回路３６８は、信号ＤがHighレベルの期間は受信信号Ｈを出力し、Lowレベルの期間は何も出力しないため、実質的に受信信号Ｈと同一の信号Ｉを帯域フィルタ３６９に出力する。
【００６０】
帯域フィルタ３６９は、周波数ｆ０を固有の振動数とするフィルタ（例えば、セラミックフィルタ）であり、信号Ｉ中の周波数ｆ０成分のエネルギーに応じた振幅を有する信号Ｊを検波器３７０および位相検波器３７２、３７３に送出する。厳密には、帯域フィルタ３６９は、数個の信号Ｉが帯域フィルタ３６９に入力され収束した状態において、これらの信号Ｊを検波器３７０および位相検波器３７２、３７３に送出する。
【００６１】
検波器３７０に入力された信号Ｊは検波・整流され、信号Ｋとされた後、さらに遮断周波数の充分低い低域フィルタ３７１によって振幅のほぼ１／２に対応する電圧値Ｖｘiを有する直流信号Ｌに変換され、制御回路３６１に送出される。
【００６２】
信号Ｌの電圧値Ｖｘiは、ループコイル３２１-iに誘起される誘導電圧に基づくものであり、指装着型デバイス１０とループコイル３２１-iとの間の距離に依存した値、ここではほぼ距離の４乗に反比例した値を示す。このため、ループコイル３２１-iが異なるループコイルに切り替えられると、当該ループコイルにおける信号Ｌの電圧値Ｖｘiは異なる値となる。
【００６３】
従って、制御回路３６１において、ループコイル毎に得られる電圧値Ｖｘiをディジタル値に変換し、これらに後述する演算処理を実行することにより、各ループコイルと指装着型デバイス１０との位置関係を求めることにより、指装着型デバイス１０による指示位置のＸ方向の座標値が求められる。また、指装着型デバイス１０による指示位置のＹ方向の座標値についても同様にして求められる。これにより、位置検出部３２における指装着型デバイス１０の位置を示す座標が得られる。
【００６４】
一方、位相検波器３７２には、信号発生回路３６２により発生された矩形波信号Ａが検波信号として入力され、位相検波器３７３には、矩形波信号Ａと位相が９０度遅れた矩形波信号Ｂが検波信号として入力されている。そして、信号Ｊの位相が矩形波信号Ａの位相とほぼ一致している場合は、位相検波器３７２は信号Ｊを全波整流した場合と同様の波形を有する信号Ｍ１を出力し、また、位相検波器３７３は正側および負側に対称な波形を有する信号Ｍ２を出力する。なお、位相検波器３７２から出力される信号Ｍ１は実質的に信号Ｋと同一である。信号Ｍ１は、上記の信号Ｋと同様に、低域フィルタ３７４によって信号Ｊの振幅のほぼ１／２に対応する電圧値、即ちＶｘiを有する直流信号Ｎ１に変換され制御回路３６１に送出される。ここで、直流信号Ｎ１は実質的に信号Ｌと同一である。また、信号Ｍ２は、同様に低域フィルタ３７５によって直流信号Ｎ２に変換され、制御回路３６１に送出される。
【００６５】
制御回路３６１は、低域フィルタ３７４、３７５の出力値、ここでは信号Ｎ１、Ｎ２をディジタル値に変換し、得られたディジタル値を用いて所定の演算処理を実行することにより、位相検波器３７２、３７３に加わった信号、ここでは信号Ｊと矩形波信号Ａとの位相差θを求める。
【００６６】
ここで、信号Ｊの位相は、指装着型デバイス１０の共振回路１１０における共振周波数に対応する。即ち、共振回路１１０における共振周波数が所定の周波数ｆ０と一致している場合、共振回路１１０には送信動作中および受信動作中とも周波数ｆ０の誘導電圧が発生し、また、これに同期した誘導電流が流れるため、受信信号Ｈ（またはＩ）の周波数および位相は矩形波信号Ａと一致し、信号Ｊの位相も矩形波信号Ａと一致する。
【００６７】
一方、共振回路１１０における共振周波数が所定の周波数ｆ０と一致していない場合、例えば周波数ｆ０よりわずかに低い周波数ｆ１（ｆ１＜ｆ０、かつ、ｆ１がｆ０とほぼ等しい）の場合は、送信動作中に共振回路１１０には周波数ｆ０の誘導電圧が発生するが、この誘導電圧により共振回路１１０には位相遅れを伴う誘導電流が流れる。そして、受信動作中においてはほぼ周波数ｆ１の誘導電圧が生じ、これに同期した誘導電流が流れるため、受信信号Ｈ（またはＩ）の周波数は矩形波信号Ａの周波数よりわずかに低く、また、その位相もやや遅れたものとなる。前述したように、帯域フィルタ３６９は周波数ｆ０のみを固有の振動数とするものであるから、その入力信号の低い方への周波数のずれは位相遅れとして出力されることになり、従って、信号Ｊの位相は受信信号Ｈ（またはＩ）よりさらに遅れたものとなる。
【００６８】
逆に、共振回路１１０における共振周波数が所定の周波数ｆ０よりわずかに高い場合、例えば周波数ｆ２（ｆ１＞ｆ０、かつ、ｆ２がｆ０とほぼ等しい）の場合、送信動作中において共振回路１１０には周波数ｆ０の誘導電圧が発生し、共振回路１１０には位相進みを伴う誘導電流が流れる。また、受信動作中においてはほぼ周波数ｆ２の誘導電圧およびこれに同期した誘導電流が流れるため、受信信号Ｈ（またはＩ）の周波数は矩形波信号Ａの周波数よりわずかに高く、また、その位相もやや進んだものとなる。帯域フィルタ３６９において、その入力信号の高い方への周波数のずれは、前述した場合とは逆に位相進みとして出力されることになり、従って、信号Ｊの位相は受信信号Ｈ（またはＩ）よりさらに進んだものとなる。
【００６９】
前述のように、共振回路１１０に含まれるコイル１０５は、芯１０１に加わる押圧力によってインダクタンスが変化する構成を有し、芯１０１に押圧力が加わるとインダクタンスが増大する。従って、指装着型デバイス１０の芯１０１を位置検出部３２に押し付ける操作が行われると、コイル１０５のインダクタンスが増大し、共振回路１１０の共振周波数は低い周波数に変化する。このため、上述したように制御回路３６１の演算処理によって得られた位相差θの値をもとに、指装着型デバイス１０の操作の有無、及び、指装着型デバイス１０の押圧操作により芯１０１に加わった力の大きさ（筆圧）を検出できる。
【００７０】
そして、位置検出回路３６は、位置検出部３２における指装着型デバイス１０の位置座標（絶対位置座標）、及び、芯１０１に加わった押圧力を示す操作信号を生成して、制御部３３（図６）に出力する。
【００７１】
これにより、リモコン３０からテレビ受像器２１に対して、位置座標及び押圧操作に係る信号が送信され、テレビ受像器２１におけるＧＵＩ操作が実現する。
【００７２】
以上のように構成される指装着型デバイス１０及びリモコン３０を利用すれば、テレビ受像器２１を操作するにあたって、指装着型デバイス１０を装着した指を位置検出部３２上で任意の位置に移動させることにより、容易に位置入力操作を行うことができる。この操作は、例えば図１に示すように、リモコン３０を持った手の指（図中の例では親指）に指装着型デバイス１０を装着すれば、片手でリモコン３０を持ちつつ操作を行うことができるので、極めて便利である。
【００７３】
また、指装着型デバイス１０を装着した指は、指先（先端）が露出しているので、その指でキー操作部３１を操作する際に指装着型デバイス１０が邪魔にならず、違和感のない快適な操作感を提供できるという利点がある。
【００７４】
さらに、指装着型デバイス１０は、その先端面に芯１０１が突出している。従って、指装着型デバイス１０を位置検出部３２に押し当てた場合、ユーザの指には、芯１０１が位置検出部３２に接した際の感触が伝わる。このため、ユーザは、芯１０１が位置検出部３２に接した感触を頼りに位置入力を行えるので、位置検出部３２の面積が小さい場合であっても、正確で細かい位置入力操作を行える。
【００７５】
そして、回路収容部１１は、芯１０１に加わる押圧力によってコイル１０５のインダクタンスを変化させ、共振回路１１０の共振周波数を変化させる機構を備え、この共振回路１１０の共振周波数の変化をリモコン３０の位置検出回路３６によって検出することで、回路収容部１１に加わる押圧力を検出できる。これにより、指装着型デバイス１０を位置検出部３２に押し付ける操作をリモコン３０が検出できるので、ユーザは、指装着型デバイス１０を装着した指を動かすだけで、位置入力操作および押圧操作を行い、テレビ受像器２１におけるＧＵＩの操作を行うことができる。
【００７６】
さらに、位置検出部３２において位置入力操作を行う場合、指装着型デバイス１０が必ずしも密着する必要はない。つまり、位置検出部３２のループコイル群３２１、３２２と、指装着型デバイス１０の共振回路１１０との間で信号を送受信することが可能であれば、位置検出部３２上における指装着型デバイス１０の位置座標が検出されるので、指装着型デバイス１０を位置検出部３２の表面から浮かせた状態であっても、位置入力が行われる。従って、指装着型デバイス１０を位置検出部３２に密着させる必要がなく、通常のポインティングデバイスでは味わえない特異かつ軽快な操作感を実現でき、指装着型デバイス１０を装着した指に加わる負担は非常に軽い。
【００７７】
なお、上記第１の実施の形態においては、指装着型デバイス１０が備える回路収容部１１の先端面に穴が穿設され、この穴から芯１０１が突出する構成としたが、本発明はこれに限定されるものではなく、例えば、回路収容部１１を密閉構造として、その先端面と一体に、芯１０１に代えて突起を設けたものとしてもよい。この場合、突起とフェライトコア１０２の位置とを合わせることにより、当該突起に加わる押圧力が、回路収容部１１の表面を介して間接的にフェライトコア１０２に伝わるので、突起に加わる押圧力によってコイル１０５のインダクタンスが変化する機構を実現できる。また、この場合において、突起の代わりに、回路収容部１１の先端面の一部を盛り上がった形状としてもよい。
【００７８】
また、本第１の実施の形態においては、テレビ受像器を操作するためのリモコン装置を例に挙げて説明したが、本発明はこれに限定されるものではなく、例えばパーソナルコンピュータを制御するリモコン装置に本発明を適用してもよい。さらに、パーソナルコンピュータに接続された表示用ディスプレイを操作するためのリモコン装置に本発明を適用してもよい。
［第２の実施の形態］
図８は、本発明を適用した第２の実施の形態に係る携帯型電子機器２２を示す図である。
【００７９】
携帯型電子機器２２は、ＰＤＡ（Personal Digital Assistant）等と呼ばれる携帯型の電子機器であって、スケジュール管理機能、通信機能等の各種機能を有する。携帯型電子機器２２は、液晶表示パネル等からなる表示画面２２１を有し、上記機能に係る文字や画像等を表示画面２２１上に表示させる。また、携帯型電子機器２２はＧＵＩ入力環境を備え、表示画面２２１上に表示されるポインタ２２１Ａの位置を指定する入力を行うことにより、上記機能の実行や切り替えを指示できる。
【００８０】
携帯型電子機器２２は、位置入力操作を行うための検出部としての位置検出部２２２を有し、この位置検出部２２２においては、上記第１の実施の形態で説明した指装着型デバイス１０（図１〜図４）を利用できる。
【００８１】
すなわち、位置検出部２２２には、上記第１の実施の形態における位置検出部３２（図１）と同様に、複数のループコイルが敷設されており、これらループコイルを用いて指装着型デバイス１０の位置検出を行うための位置検出回路３６（図７）が内蔵されている。
【００８２】
従って、指装着型デバイス１０を指に装着することによって、図８に示す携帯型電子機器２２における位置入力操作を簡単に行うことができる。
【００８３】
特に、携帯型電子機器２２が携帯性の高いものである場合、軽量かつ小型に構成され、片手で持って操作される。このような携帯型電子機器２２において指装着型デバイス１０を用いれば、図８に示すように、片手で携帯型電子機器２２の本体を支持しつつ、その手で位置入力操作を行うことができる。これにより、携帯型電子機器２２の操作時に両手が塞がってしまうことがないので、立った姿勢であっても容易に使うことができ、携帯型電子機器２２の利便性を高めることができる。
［第３の実施の形態］
図９は、本発明を適用した第３の実施の形態に係る携帯電話機２３を示す図である。
【００８４】
携帯電話機２３は、携帯型の電話機であって、図示しない基地局との間における無線通信を実行することにより、通話相手先の機器との間において通信回線を確立し、通話機能等を実現するものである。携帯電話機２３は、通話相手先の電話番号等を表示する表示画面２３１と、電話番号の入力操作や電源のＯＮ／ＯＦＦ等を行うための各種キーを有するキー操作部２３２を備える。
【００８５】
さらに、携帯電話機２３は、表示画面２３１に表示された領域における位置を指定するための検出部としての位置検出部２３３を有する。位置検出部２３３においては、上記第１の実施の形態で説明した指装着型デバイス１０（図１〜図４）を利用できる。
【００８６】
すなわち、位置検出部２３３には、上記第１の実施の形態における位置検出部３２（図１）と同様に、複数のループコイルが敷設されており、これらループコイルを用いて指装着型デバイス１０の位置検出を行うための位置検出回路３６（図７）が内蔵されている。
【００８７】
従って、指装着型デバイス１０を指に装着することによって、図９に示す携帯電話機２３における位置入力操作を簡単に行うことができる。
【００８８】
そして、携帯電話機２３は、通話機能の他、アドレス帳管理機能等の各種機能を実行することも可能であり、これら機能の実行を指示するためのＧＵＩ入力環境を備える。表示画面２３１には、通話機能を含む各種機能に係るメニュー項目やアイコン（文字や画像等）が表示され、表示画面２３１上に表示されるカーソルやポインタの位置を指定する位置入力操作を行うことにより、上記機能の実行や切り替えを指示できる。
【００８９】
このカーソルやポインタの位置を指定する位置入力操作は、キー操作部２３２が備えるキーを押下して行うことも可能であるが、携帯電話機２３においては、位置検出部２３３上で指装着型デバイス１０を移動させることで、位置入力操作を行える。
【００９０】
携帯電話機２３は、通常、片手で持って操作される。ここで、位置検出部２３３の位置は、図９に示すように携帯電話機２３をユーザが片手に持った場合において、その手の指（図９の例では親指）に指装着型デバイス１０を装着した場合、その指が届く範囲に配設され、片手で携帯電話機２３を持ちつつ、その手で位置入力操作を行うことができる。これにより、ユーザが立った状態等の不安定な姿勢であっても確実に位置入力操作を行うことができる。また、キー操作部２３２のキーにより位置入力操作を行う場合、キーを何度も押下しなければならず、ユーザの手指の負担が大きく、かつ、素早く操作を行うことが難しい。これに対し、本第４の実施の形態における携帯電話機２３は、位置検出部２３３上で指装着型デバイス１０を移動させるだけで位置入力操作を行えるので、極めて素早く位置入力操作を行うことができ、さらにユーザの手指への負担が非常に軽いという利点がある。
【００９１】
なお、携帯電話機２３は、携帯可能なサイズ及び形状を有し、少なくとも通話機能と表示画面とを有するものであれば良く、その通信方式等は任意である。また、携帯電話機２３の筐体の形状は、図９に示すような、いわゆるストレート型に限定されず、折り畳み型としてもよい。
［第４の実施の形態］
図１０は、本発明を適用した第４の実施の形態に係るノート型コンピュータ２４を示す図である。
【００９２】
ノート型コンピュータ２４は、携帯可能に構成されたパーソナルコンピュータであって、ＣＰＵ（Central Processing Unit）、ＲＯＭ（Read Only Memory）、ＲＡＭ（Random
Access Memory）等が実装された主基板、及び、ハードディスクドライブ等の機器を本体に内蔵し、さらに、表示画面２４１が配設される。また、ノート型コンピュータ２４は、入力操作を行うためのキーボード２４２と、検出部としての位置検出部２４３とを備える。
【００９３】
キーボード２４２は、複数のキーを備え、これらキーの押下操作により入力を行うものである。
【００９４】
また、位置検出部２４３においては、上記第１の実施の形態で説明した指装着型デバイス１０（図１〜図４）の位置および指装着型デバイス１０による押圧操作を検出する。位置検出部２４３の構成は、上述した位置検出部３２（図１）と同様である。
【００９５】
そして、ノート型コンピュータ２４は、各種アプリケーションプログラムを実行することによって種々の機能を実行可能であり、これらの機能の実行を指示するためのＧＵＩ入力環境を備える。表示画面２４１には、上記各種機能に係るアイコン（文字や画像等）が表示され、表示画面２４１上に表示されるカーソルやポインタの位置を指定する位置入力操作を行うことにより、上記機能の実行や切り替えを指示できる。
【００９６】
このカーソルやポインタの位置を指定する位置入力操作は、キーボード２４２のキー操作部により可能であるが、ノート型コンピュータ２４においては、位置検出部２４３上で指装着型デバイス１０を移動させることで、位置入力操作を行える。
【００９７】
図１０に示すように、位置検出部２４３は、ノート型コンピュータ２４の筐体を片手で持った場合に、ユーザの親指が届く位置に配設されており、ユーザは、ノート型コンピュータ２４を持った手の指に指装着型デバイス１０を装着して、位置入力操作を行うことができる。これにより、片手のみで、ノート型コンピュータ２４を保持したまま、位置入力操作をも行うことができる。
【００９８】
従って、ノート型コンピュータ２４は、片手で持ったまま位置入力操作が可能であり、例えば、ユーザが立った状態等の不安定な姿勢であっても確実に操作できる上、位置検出部２４３上で指装着型デバイス１０を移動させるだけで位置入力操作を行えるので、極めて素早く位置入力操作を行うことができ、さらにユーザの手指への負担が軽いという利点がある。さらに、指装着型デバイス１０を装着したユーザの指は、その指先が露出しているので、キーボード２４２を操作する場合に指装着型デバイス１０が邪魔になることがなく、極めて快適な操作感を実現できる。
［第５の実施の形態］
図１１は、本発明を適用した第５の実施の形態に係るタブレット２５を示す図である。
【００９９】
タブレット２５は、図１０に示したノート型コンピュータ２４等のパーソナルコンピュータ（図示略）に外部接続される入力デバイスであって、当該パーソナルコンピュータに対する位置入力操作等を行うためのものである。タブレット２５は、上記上記第１の実施の形態で説明した指装着型デバイス１０（図１〜図４）の位置および指装着型デバイス１０による押圧操作を検出するための検出部としての位置検出部２５１を備える。位置検出部２５１の構成は、上述した位置検出部３２（図１）と同様である。
【０１００】
タブレット２５が接続されたパーソナルコンピュータが備えるＧＵＩ入力環境において、位置入力操作を実現する。
【０１０１】
この位置入力操作において、ユーザは、図１１に示すように指に指装着型デバイス１０を装着し、この指装着型デバイス１０を、位置検出部２５１上で移動させる。タブレット２５は、位置検出部２５１における指装着型デバイス１０の位置座標を示す操作信号を生成し、上記パーソナルコンピュータに出力する。
【０１０２】
このタブレット２５において、指装着型デバイス１０を用いて位置入力操作を行えば、位置検出部２５３上で指装着型デバイス１０を移動させるだけで、極めて素早く位置入力操作を行うことができ、さらにユーザの手指への負担が軽いという利点がある。さらに、指装着型デバイス１０を装着したユーザの指は、その指先が露出しているので、例えば上記パーソナルコンピュータに接続されたキーボード（図示略）等の他の機器を操作する場合に指装着型デバイス１０が邪魔になることがなく、極めて快適な操作感を実現できる。
［第６の実施の形態］
図１２は、本発明を適用した第６の実施の形態に係るストラップ型デバイス１５の構成を示し、（ａ）は外観斜視図であり、（ｂ）は使用状態を示す要部側面図である。
【０１０３】
図１２に示すストラップ型デバイス１５は、布、紙、合成樹脂等からなる柔軟なベルト１５３の端部にエンドキャップ１５４を固定し、エンドキャップ１５４にワイヤ１５５を取り付けたものである。ワイヤ１５５は、例えば、携帯電話機やＰＤＡ等の電子機器に連結されるものであり、例えば図１２に示すような単なるループ形状であってもよい。このエンドキャップ１５４及びワイヤ１５５によって、連結部が構成される。
【０１０４】
ベルト１５３は、エンドキャップ１５４に両端を固定されて輪を形成しており、この輪の途中において、留め具１５６により結束されている。留め具１５６は、ベルト１５３の側面を巻くように配設されたリング状の部材であり、ベルト１５３の長さ方向に移動可能である。
【０１０５】
ベルト１５３の一部は、留め具１５６により結束されることで、より小さな輪を形成する。この輪の径は、留め具１５６を移動させることによって自在に調整可能である。
【０１０６】
また、留め具１５６により形成される輪の一部において、ベルト１５３には、回路収容部１５１が配設される。回路収容部１５１は、上記第１の実施の形態における回路収容部１１（図４）と同様に、コイルを含む共振回路を内蔵して構成される。また、回路収容部１５１の先端面からは芯１５２が突出する。この芯１５２は、上記第１の実施の形態における芯１０１（図４）と同様に、回路収容部１５１に内蔵されるフェライトコアに接している。そして、回路収容部１５１は、回路収容部１１と同様に、回路収容部１５１に加わる押圧力に応じて内蔵する共振回路の共振周波数を変化させる機構を有する。
【０１０７】
図１２（ｂ）に示すように、ストラップ型デバイス１５は、ユーザの指に装着することが可能である。この状態において、回路収容部１５１は、ユーザの指の腹側に位置し、芯１５２が下方に突出する。ここで、ユーザの指の大きさ（太さ）に合わせて留め具１５６を適宜移動させることにより、ストラップ型デバイス１５がユーザの指から脱落しないよう保持することができる。
【０１０８】
このストラップ型デバイス１５は、上記第１〜第５の実施の形態において説明した指装着型デバイス１０（図１〜図４）に代えて用いることが可能な位置指示器である。
【０１０９】
この場合、指装着型デバイス１０を使用した場合に得られる効果に加えて、ベルト１５３が布、紙、合成樹脂等からなる柔軟なベルトであるから、装着感が柔らかく、快適である。また、非使用時における収納性に優れ、破損の恐れがない。
【０１１０】
さらに、ワイヤ１５５を、携帯電話機やＰＤＡ或いはリモコン装置等に取り付けることができるので、ストラップ型デバイス１５によって操作する対象の電子機器にワイヤ１５５を連結すれば、ストラップ型デバイス１５を任意の時にすぐ使用できるので、非常に便利である。
【０１１１】
また、ストラップ型デバイス１５は、外観上、携帯電話機等に用いるストラップの形状を有するので、違和感なく使用できる。
【０１１２】
なお、この第７の実施の形態において、ベルト１５３に代えて、布製の紐を用いることも可能であり、金属製または合成樹脂製の鎖を用いてもよく、ベルト１５３や留め具１５６等に各種の装飾を施すことも可能である。また、ワイヤ１５５として、チェーン、紐、ベルト等の種々の形状としてよく、金属製の環やフック等を用いてもよい。
【０１１３】
［第７の実施の形態］
図１３は、本発明を適用した第７の実施の形態における指装着型デバイス１０Ａの構成を示す側面図である。
【０１１４】
図１３に示す指装着型デバイス１０Ａは、上記第１の実施の形態における指装着型デバイス１０（図１〜図４）と同様に構成される位置指示器であって、腕部１２（図２（ａ））に代えて腕部１２Ａを備えたものである。なお、本第７の実施の形態において、上記第１の実施の形態と同様に構成される箇所については、同符号を付して説明を省略する。
【０１１５】
腕部１２Ａは、腕部１２と同様に回路収容部１１に立設された２本の金属製または合成樹脂製の腕であって、支持部として機能する。２本の腕部１２Ａは、それぞれ、回路収容部１１に対して弾性連結部１１１を介して連結されている。
【０１１６】
弾性連結部１１１においては、腕部１２Ａに穴が設けられ、この穴に、回路収容部１１に立設されたピンが係合しており、このピンを中心として、図中矢印で示すように、腕部１２Ａが回動可能となっている。腕部１２Ａが回動した場合、２本の腕部１２Ａの間隔が拡大または縮小する。
【０１１７】
さらに、弾性連結部１１１には、ねじりコイルばね（図示略）が配設され、このねじりコイルばねにより、２本の腕部１２Ａの間隔が縮小する方向に付勢されている。
【０１１８】
以上のように構成される指装着型デバイス１０Ａは、上記第１〜第６の実施の形態において説明した指装着型デバイス１０に代えて用いることが可能であり、指装着型デバイス１０を使用した場合と同様の効果が得られる。
【０１１９】
さらに、指装着型デバイス１０Ａをユーザの指に装着する場合には、腕部１２Ａを拡げてユーザの指を通すだけで、ねじりコイルばねの付勢力によって腕部１２Ａがユーザの指に圧接し、その状態で保持される。従って、ユーザの指の太さに拘わらず容易に着脱でき、良好な装着感を実現できる。
【０１２０】
なお、上述した第１〜第７の各実施の形態は、本発明の一実施態様を示すものであり、本発明の範囲内で任意に変形及び応用可能であることは勿論である。
【図面の簡単な説明】
【０１２１】
【図１】本発明を適用した第１の実施の形態に係る指装着型デバイス及びリモコンの構成を示す図である。
【図２】指装着型デバイスの構成を示す外観斜視図であり、（ａ）は上方から見た図であり、（ｂ）は下方から見た図である。
【図３】指装着型デバイスにおける回路収容部の構成を示す外観図であり、（ａ）は側面図であり、（ｂ）は斜視図である。
【図４】回路収容部の内部構成を示す断面視図である。
【図５】指装着型デバイスの使用状態の例を示す図である。
【図６】テレビ受像器及びリモコンの機能的構成を示すブロック図である。
【図７】リモコンが備える位置検出回路の構成を詳細に示す回路図である。
【図８】本発明を適用した第２の実施の形態に係る指装着型デバイス及び携帯型電子機器の構成を示す図である。
【図９】本発明を適用した第３の実施の形態に係る指装着型デバイス及び携帯電話機の構成を示す図である。
【図１０】本発明を適用した第４の実施の形態に係る指装着型デバイス及びノート型コンピュータの構成を示す図である。
【図１１】本発明を適用した第５の実施の形態に係る指装着型デバイス及びタブレットの構成を示す図である。
【図１２】本発明を適用した第６の実施の形態に係る指装着型デバイスの構成を示す図であり、（ａ）は斜視図を示し、（ｂ）は使用状態を示す要部側面図である。
【図１３】本発明を適用した第７の実施の形態に係る指装着型デバイスの構成を示す側面図である。
【符号の説明】
【０１２２】
１０、１０Ａ  指装着型デバイス（位置指示器）
１１  回路収容部
１２、１２Ａ  腕部（支持部）
１５  ストラップ型デバイス（位置指示器）
２１  テレビ受像器
２２  携帯型電子機器
２３  携帯電話機
２４  ノート型コンピュータ
２５  タブレット
３０  リモコン
３２、２２２、２３３、２４３、２５１  位置検出部（検出部）
３６  位置検出回路
１０１  芯（可変インダクタンス機構）
１０２  フェライトコア（可変インダクタンス機構）
１０３  弾性体（可変インダクタンス機構）
１０４  フェライトコア（可変インダクタンス機構）
１０５  コイル
１０６  基板
１０７  コンデンサ
１１０  共振回路（電磁誘導回路）
１１１  弾性連結部
１５１  回路収容部
１５２  芯
１５３  ベルト
１５４  エンドキャップ（連結部）
１５５  ワイヤ（連結部）
１５６  留め具（留め部材）
２１１、２２１、２３１、２４１  表示画面
２１１Ａ、２２１Ａ  ポインタ
【図１】
2006309500.tif 000003
【図２】
2006309500.tif 000004
【図３】
2006309500.tif 000005
【図４】
2006309500.tif 000006
【図５】
2006309500.tif 000007
【図６】
2006309500.tif 000008
【図７】
2006309500.tif 000009
【図８】
2006309500.tif 000010
【図９】
2006309500.tif 000011
【図１０】
2006309500.tif 000012
【図１１】
2006309500.tif 000013
【図１２】
2006309500.tif 000014
【図１３】
2006309500.tif 000015